(57)【要約】【課題】  陳列作業の省力化を図ること可能なパウチを提供する。【解決手段】  第１面を構成する包装材料と、第２面を構成する包装材料が対向して接合されて収容部８が形成されたパウチであり、上縁１１と収容部８との間に形成された補強部２１ａと、補強部２１ａにおいてパウチを貫通する部分を含むフック挿入部４と、収容部８と上縁１１とフック挿入部４とを結び、パウチを貫通する連通部５を有し、補強部２１ａは、以下のａ）からｃ）のいずれかの構成。ａ）第１基材層５１と第２基材層５２の間に厚みが１００μｍ以上のシール層６０が形成、ｂ）第１基材層５１と第２基材層５２の間に、第１シール層６１、第３基材層５３、第４基材層５４、第２シール層６２が順に形成。ｃ）第１基材層５１と第２基材層５２の間に、第１シール層６１、補強材５５、第２シール層６２が順に形成。【選択図】  図１
2020164249.tif 000002
【特許請求の範囲】
【請求項１】
第１基材層と第１シーラント層を備えた第１面を構成する包装材料と、第２基材層と第２シーラント層を備えた第２面を構成する包装材料が対向して接合されて収容部が形成されたパウチであって、
前記パウチの上縁と前記収容部との間に形成された補強部と、
前記補強部において形成された、前記パウチを貫通する部分を含むフック挿入部と、
前記収容部と反対側の外縁と前記フック挿入部とを結び、前記パウチを貫通する連通部と、を有し、
前記補強部は、以下のａ）からｃ）のいずれかの構成であることを特徴とするパウチ。
ａ）前記第１基材層と前記第２基材層の間に厚みが１００μｍ以上のシール層が形成されている
ｂ）前記第１基材層と前記第２基材層の間に、第１シール層、第３基材層、第４基材層、第２シール層が順に形成されている
ｃ）前記第１基材層と前記第２基材層の間に、第１シール層、補強材、第２シール層が順に形成されている
【請求項２】
前記連通部として切込みを有する請求項１に記載のパウチ。
【請求項３】
前記連通部は、前記切込みと前記上縁を結ぶ切り欠きを有する請求項２に記載のパウチ。
【請求項４】
前記連通部は、前記フック挿入部の上端と連続している請求項１から３のいずれか一項に記載のパウチ。
【請求項５】
前記フック挿入部は、前記上縁が延びる方向において、中央となる位置に形成されている請求項１から４のいずれか一項に記載のパウチ。
【発明の詳細な説明】
【技術分野】
【０００１】
本発明は、店舗などの陳列箇所において、吊り下げて陳列するためのパウチに関する。
【背景技術】
【０００２】
従来、パウチの上部に貫通孔である吊下用孔を形成しておき、陳列箇所に固定されたフックと呼ばれる支持具を吊下用孔に通すことにより、パウチを吊り下げて陳列することが行われている。パウチに吊下用を形成し、特に対策を施さない場合には、重いものを長時間吊り下げた場合には吊下用孔から裂けてしまうという問題が生じる。そこで、吊下用孔付近にプレートを配置し、吊下用孔の強度を高めたパウチも提案されている（例えば特許文献１参照）。
【０００３】
一方、吊り下げ型のパウチに食料品などを収容して販売する場合、毎日大量の商品を陳列する作業が行われる。その際、吊下用孔にフックを通す作業が頻繁に行われることになる。
【先行技術文献】
【特許文献】
【０００４】
【特許文献１】特開２００３−１１９９０号公報
【発明の概要】
【発明が解決しようとする課題】
【０００５】
しかしながら、特許文献１に記載の吊り下げ型パウチを含めた従来のパウチでは、吊下用孔にフックを通す作業に比較的手間が掛かる。特に、大量の商品を陳列したり、配置換えを行ったりする際には、時間がかかる作業となっている。
【０００６】
そこで、本発明は、陳列作業の省力化を図ること可能なパウチを提供することを課題とする。
【課題を解決するための手段】
【０００７】
上記課題を解決するため、本発明は、
第１基材層と第１シーラント層を備えた第１面を構成する包装材料と、第２基材層と第２シーラント層を備えた第２面を構成する包装材料が対向して接合されて収容部が形成されたパウチであって、
前記パウチの上縁と前記収容部との間に形成された補強部と、
前記補強部において形成された、前記パウチを貫通する部分を含むフック挿入部と、
前記収容部と反対側の外縁と前記フック挿入部とを結び、前記パウチを貫通する連通部と、を有し、
前記補強部は、以下のａ）からｃ）のいずれかの構成であることを特徴とするパウチを提供する。
ａ）前記第１基材層と前記第２基材層の間に厚みが１００μｍ以上のシール層が形成されている
ｂ）前記第１基材層と前記第２基材層の間に、第１シール層、第３基材層、第４基材層、第２シール層が順に形成されている
ｃ）前記第１基材層と前記第２基材層の間に、第１シール層、補強材、第２シール層が順に形成されている
【０００８】
また、本発明のパウチは、
前記連通部として切込みを有してもよい。
【０００９】
また、本発明のパウチは、
前記連通部は、前記切込みと前記上縁を結ぶ切り欠きを有してもよい。
【００１０】
また、本発明のパウチは、
前記連通部は、前記フック挿入部の上端と連続していてもよい。
【００１１】
また、本発明のパウチは、前記フック挿入部は、前記上縁が延びる方向において、中央となる位置に形成されていてもよい。
【発明の効果】
【００１２】
本発明によれば、陳列作業の省力化を図ること可能なパウチを提供することができる。
【図面の簡単な説明】
【００１３】
【図１】本発明の一実施形態に係るパウチを示す図である。
【図２】図１のＡ−Ａ線に対応する断面図である。
【図３】下縁１２にシール部を形成してパウチを封止した状態の図である。
【図４】補強部の変形例を示す図１のＡ−Ａ線に対応する断面図である。
【図５】シール性のない補強材を補強部に用いた変形例のパウチを示す図である。
【図６】図５（ａ）におけるＣ−Ｃ線に対応する断面図である。
【図７】図１におけるフック挿入部および連通部周辺の部分拡大図である。
【図８】フック挿入部の変形例に対応した図１におけるフック挿入部および連通部の部分拡大図である。
【図９】ピロータイプの形態としたパウチの変形例を示す図である。
【図１０】包装材料の層構成の一例を示す断面図である。
【発明を実施するための形態】
【００１４】
以下、本発明の好適な実施形態について、図面を参照して詳細に説明する。
図１は、本発明の一実施形態に係るパウチを示す正面図および背面図である。図２は、図１（ａ）におけるＡ−Ａ線に対応する断面図である。図１、図２に示した本実施形態のパウチは、内容物が充填される前の状態（内容物が充填されていない状態）のパウチを示したものである。本実施形態のパウチは、対向する第１面１、第２面２を有し、第１面１、第２面２で挟まれた空間が収容部８となっている。本実施形態のパウチは、第１面１側から見た正面視、第２面２側から見た背面視において四角形状である。本実施形態において、四角形状とは、各隅が角を有する形状だけでなく、各隅が面取りされて、外に凸の円弧状または曲線状となったものも含む概念である。本発明において、パウチは、内容物が充填されていない状態のパウチに限らず、内容物が充填されている状態のパウチも含む概念である。
【００１５】
本実施形態のパウチは、平面形状および平面方向におけるサイズが同一の第１面１を構成する包装材料と第２面２を構成する包装材料を用いてにより構成されている。図１に示すように、本実施形態のパウチは、上縁１１と、上縁１１と対向する下縁１２と、上縁１１と下縁１２の間で延びる第１側縁１３と第２側縁１４を有している。上縁１１はパウチを吊り下げたとき上側に位置するパウチの外縁である。図１において左右方向に延びる２本の破線は、補強部２１ａの上端と下端を示している。上縁１１側のシール部である上縁シール部２１には、パウチの吊り下げ時において、フック挿入部４の周縁の強度を高めるための補強部２１ａが形成されている。補強部２１ａにおいては、上縁１１側の他の部分（具体的には補強部２１ａより上側の部分と下側の部分）よりも厚みが大きくなっており、フック挿入部４の周縁からパウチが裂けることを抑止している。  
【００１６】
＜構成部材＞
本実施形態のパウチは、第１面１を構成する包装材料、第２面２を構成する包装材料の計２枚の同一形状同一サイズの包装材料と、補強部の構成要素となるシーラント材により形成されている。第１面１を構成する包装材料、第２面２を構成する包装材料は、基材層（第１基材層、第２基材層）とシーラント層（第１シーラント層、第２シーラント層）を備えている。第１面１を構成する包装材料と第２面２を構成する包装材料は、シーラント層どうしを対向させて、上縁１１、第１側縁１３、第２側縁１４において、ヒートシールされて接合されている。上縁１１側においては、第１面１を構成する包装材料と第２面２を構成する包装材料の間にシーラント材が挟み込まれる。シーラント材が挟み込まれた箇所は、第１面１を構成する包装材料のシーラント層、第２面２を構成する包装材料のシーラント層とヒートシールされて一体化し、１つのシール層が形成される。図１に示すように、下縁１２においては、シールされていないため、内容物の充填前は、収容部８の開口部９となっている。
【００１７】
＜シール部＞
図１、図２に示す本実施形態のパウチは、内容物の充填前の状態を示している。内容物の充填前の本実施形態のパウチは、図１に示すように、上縁１１、第１側縁１３、第２側縁１４において、ヒートシールされて、それぞれ上縁シール部２１、第１側縁シール部２３、第２側縁シール部２４の各シール部が形成されている。図１においては、既にヒートシールが行われ、形成済みの上縁シール部２１、第１側縁シール部２３、第２側縁シール部２４の各シール部を斜線で網掛けして示している。図１において、一点鎖線より下方は、下縁シール部２２となる予定の下縁シール予定部２２´であり、シール部が未形成であるため、網掛けを施していない。上縁シール部２１、第１側縁シール部２３、第２側縁シール部２４の各シール部は、それぞれ、上縁１１、第１側縁１３、第２側縁１４を含むように形成されている。
【００１８】
本実施形態では、上縁シール部２１は、３つの部分に区分されている。補強部２１ａ、外縁側シール部２１ｂ、収容部側シール部２１ｃの３つの部分である。図１（ａ）（ｂ）においては、補強部２１ａと、外縁側シール部２１ｂ、収容部側シール部２１ｃそれぞれとの境界を左右方向に延びる破線で示している。上縁シール部２１は、第１面１を構成する包装材料、第２面２を構成する包装材料の間にシーラント材を挟み込み、ヒートシールすることにより形成される。シーラント材が挟まれた部分が補強部２１ａとなる。
【００１９】
＜補強部＞
図２の断面図に示すように、補強部２１ａにおいては、ヒートシールされたシール層の厚みが、外縁側シール部２１ｂ、収容部側シール部２１ｃに比べて厚いものとなっている。補強部２１ａにおけるシール層の厚みをＴ１、外縁側シール部２１ｂ、収容部側シール部２１ｃにおけるシール層の厚みをＴ２とすると、Ｔ１＞Ｔ２である。補強部２１ａの強度を保つため、補強部２１ａの厚みＴ１は１００μｍ以上である必要がある。外縁側シール部２１ｂと収容部側シール部２１ｃは同等の厚みである。第１面１を構成する包装材料、第２面２を構成する包装材料がそれぞれ備える基材層の一方を第１基材層５１、他方を第２基材層５２とすると、補強部２１ａは、第１基材層５１と第２基材層５２の間に厚みが１００μｍ以上のシール層が形成されている構成となる。上縁シール部２１における具体的な厚みについては、適宜設定できるが、本実施形態では、ヒートシールされたシール層の厚みが、補強部２１ａでは１３６μｍ、外縁側シール部２１ｂと収容部側シール部２１ｃでは３６μｍとなっている。この厚みの差は、外縁側シール部２１ｂと収容部側シール部２１ｃが、第１面１を構成する包装材料のシーラント層と第２面２を構成する包装材料のシーラント層をヒートシールして形成されたものであるのに対し、補強部２１ａは、第１面１を構成する包装材料のシーラント層と第２面２を構成する包装材料のシーラント層に加えてシーラント材も一体化して形成したものであるためである。なお、詳細は後述するが、第１面１、第２面２を構成する包装材料は、実際には、基材層を一層だけでなく複数層備える場合もあり、基材層とシーラント層以外に印刷層や他の層を含んでいることが普通である。図２の例では、説明の便宜上、簡略化して基材層とシール層のみを示している。
【００２０】
＜フック挿入部および連通部＞
パウチを吊り下げるために用いるフック挿入部４および連通部５について説明する。フック挿入部４は、フックを挿入するための部分であり、補強部２１ａにおいて形成された、パウチを貫通する部分を含む部分である。図１の例では、円形状の貫通孔となっている。連通部５は、収容部８と反対側の外縁とフック挿入部４とを結び、パウチを貫通する部分である。図１の例では、連通部５は、第１面１から第２面２に亘ってパウチを貫通した箇所であり、上縁１１とフック挿入部４を結ぶように形成されている。より具体的には、連通部５は、上縁１１からフック挿入部４にまで達する切込みである。フック挿入部４は、その周縁の全てが補強部２１ａに囲まれるような位置に形成されている。フック挿入部４の周縁全てが補強部２１ａに囲まれていることにより、フック挿入部４の周縁における補強部２１ａの厚みが、他のシール部よりも厚くなる。このため、フック挿入部４の周縁の強度が高まり、フックに掛かるパウチの重みにより、フック挿入部４の周縁が裂けることを抑止することができる。また、第１面１から第２面２に亘ってパウチを厚み方向に貫通する連通部５が、上縁１１とフック挿入部４を結ぶように形成されているため、フックの胴体部分を連通部５に通すことにより、フック挿入部４に収めることができる。したがって、フックの先端をフック挿入部４に通す必要がなくなり、パウチの陳列作業が大幅に省力化される。
【００２１】
＜収容部＞
後に、下縁１２に形成された開口部９を介して内容物が収容された後、下縁１２に沿ってシール形成され、パウチが封止される。下縁１２におけるシール部は、第１側縁１３から第２側縁１４に亘って形成される。充填、シール後の収容部８は、上縁１１、下縁１２、第１側縁１３、第２側縁１４の内縁で画成されることになる。下縁１２にシール部を形成して封止した状態のパウチを図３（ａ）（ｂ）に示す。図３（ａ）は、図１（ａ）に対応するパウチの正面図、図３（ｂ）は、図１（ｂ）に対応するパウチの背面図である。上縁１１、下縁１２、第１側縁１３、第２側縁１４のシール部のシール幅は、適宜設定することができる。上縁１１、下縁１２のシール部のシール幅とは、上縁１１、下縁１２のシール部が延びる方向（図３における左右方向）に交差する方向（図３における上下方向）における幅である。第１側縁１３、第２側縁１４のシール部のシール幅とは、第１側縁１３、第２側縁１４のシール部が延びる方向（図３における上下方向）に交差する方向（図３における左右方向）における幅である。
【００２２】
＜補強部の変形例＞
次に、補強部２１ａの変形例について説明する。上記実施形態では、補強部２１ａの構成を、第１基材層５１と第２基材層５２の間に厚みが１００μｍ以上のシール層６０が形成されている構成としたが、第１基材層５１と第２基材層５２の間に、第１シール層６１、第３基材層５３、第４基材層５４、第２シール層６２が順に形成されている構成としてもよい。図４は、変形例の場合における図１のＡ−Ａ線に対応する断面図である。図４に示すように、変形例の場合、補強部２１ａにおいては、第１面１を構成する包装材料の第１基材層５１と第２面２を構成する包装材料の第２基材層５２の間に第１シール層６１、第３基材層５３、第４基材層５４、第２シール層６２が存在する。
【００２３】
この変形例では、１つの基材層が折り畳まれて、その折部により第３基材層５３と第４基材層５４に区分されている。図４に示すような変形例の場合、第１面１を構成する包装材料、第２面２を構成する包装材料と同様の、基材層とシーラント層を備えた包装材料を用意する。そして、この包装材料のシーラント層側を外側にして折り畳んで、両側に表出したシーラント層を、第１面１を構成する包装材料のシーラント層、第２面２を構成する包装材料のシーラント層と対向させてヒートシールすることにより第１シール層６１、第２シール層６２を形成する。このようにして、図４に示したような、第１基材層５１と第２基材層５２の間に、第１シール層６１、第３基材層５３、第４基材層５４、第２シール層６２が順に形成された補強部２１ａが得られる。図４に示すような変形例の場合、第１面１を構成する包装材料、第２面２を構成する包装材料と同一の包装材料を用いて、補強部２１ａを形成することができる。このため、補強部２１ａを備えたパウチを効率的に製造することが可能となる。
【００２４】
なお、図４の例では、１つの基材層が折り畳まれ、折部を境界として第３基材層５３、第４基材層５４に区分されているが、第３基材層５３、第４基材層５４は分離された別体の基材層であってもよい。第３基材層５３、第４基材層５４を別体の基材層とする場合、それぞれ別の基材層として用意してもよいし、１つの基材を折り畳んだ後、折部付近を切断して第３基材層５３、第４基材層５４に分離するようにしてもよい。また、詳細は後述するが、第１面１、第２面２を構成する包装材料、間に挟まれる包装材料は、実際には、基材層を一層だけでなく複数層備える場合もあり、基材層とシーラント層以外に印刷層や他の層を含んでいることが普通である。図４の例では、図２の例と同様、説明の便宜上、簡略化して基材層とシール層のみを示している。
【００２５】
補強部２１ａのもう１つの変形例について説明する。上記実施形態、変形例とは異なり、単にシール性のない補強材を、第１面１を構成する包装材料と第２面２を構成する包装材料の間に挿入するようにしてもよい。このような変形例の場合、第１基材層５１と第２基材層５２の間に、第１シール層６１、補強材５５、第２シール層６２が順に形成された構成となる。図５は、このような変形例の場合におけるパウチを示す正面図および背面図である。図６は、図５（ａ）におけるＣ−Ｃ線に対応する断面図である。
【００２６】
補強材５５は、シーラント層とともにシール層を形成しないため、図５に示すように、補強部２１ａが、第１側縁１３、第２側縁１４に達しないように形成される。すなわち、上縁シール部２１においては、第１側縁１３、第２側縁１４を含む位置において、第１面１を構成する包装材料と第２面２を構成する包装材料が直接ヒートシールされてシール部が形成されている。図６に示すように、変形例の場合、補強部２１ａにおいては、第１面１を構成する包装材料の第１基材層５１と第２面２を構成する包装材料の第２基材層５２の間に第１シール層６１、補強材５５、第２シール層６２が存在する。補強材５５は、フック挿入部４を補強するためのものである。そのため、補強材５５としては、シール性がなく、硬いものやコシ（ヤング率）の高いフィルムが好ましい。具体的には、ポリエチレンテレフタレート、ポリブチレンテレフタレート、ポリプロピレンのようなフィルムまたはシート、紙等を用いることが好ましい。厚みについては、補強材５５の材質にも影響され、十分な強度があれば特に限定されないが、１００μｍ以上１０００μｍ以下であることが好ましい。
【００２７】
＜フック挿入部および連通部の変形例＞
次に、フック挿入部４および連通部５の変形例について説明する。図１の例では、フック挿入部４を円形の貫通孔とし、連通部５を、フック挿入部４と収容部８と反対側の外縁である上縁１１とフック挿入部４とを結ぶ切込みとした。図７は、図１において二点鎖線の矩形で示したＢにおけるフック挿入部４および連通部５の部分拡大図である。図７においては、フック挿入部４および連通部５の様々な例を示している。図７（ａ）〜（ｅ）において、左側の図はフックＨが挿入されていない状態を示しており、右側の図はフックＨが挿入された状態を示している。図７（ａ）は、図１に示した形態であり、連通部５が切り込みとなっている。図７（ａ）の例では、連通部５が切り込みであるため、実質的に上縁１１に沿った方向（図７における左右方向）の幅は０である。
【００２８】
図７（ｂ）〜図７（ｅ）は、フック挿入部４および連通部５の変形例である。図７（ｂ）に示す例は、フック挿入部４は図７（ａ）と同様に円形の貫通孔であるが、連通部５が図７（ａ）と異なり、切り欠きとなっている。具体的には、図７（ｂ）の連通部５は、その幅（図７における左右方向）が一定であり、０より大きい隙間となっている。図７（ｂ）の連通部の幅は、対応する方向のフックの最大幅より小さい範囲で適宜設定することができる。図７（ａ）に示した切り込みである連通部５と、図７（ｂ）に示した切り欠きである連通部５を比較すると、図７（ａ）の切り込みの連通部５の方が、図７（ｂ）に示した切り欠きの連通部５よりも、吊り下げ時において比較的長時間の持続に耐え得る。
【００２９】
図７（ｃ）に示す例は、フック挿入部４と連通部５が上縁１１に沿う方向（図１、図７における左右方向）において隣接して配置されている。図７（ｃ）においては、フック挿入部４と連通部５が接続する部分（境界）を上下方向に延びる破線で示している。したがって、図７（ｃ）においては、フック挿入部４が破線より左側、連通部５が破線より右側である。図７（ｃ）の例では、フック挿入部４は、破線で示した境界、下方の円弧、左右からそれぞれ斜め上方に向かって延びる直線状の２辺で囲まれた形状となっている。左右からそれぞれ斜め上方に向かって延びる直線状の２辺の交差する箇所がフック挿入部４の上端となっている。連通部５は、破線で示した境界、下方の円弧、上縁１１まで延びる等間隔の直線状の２辺で囲まれた形状となっている。図７（ｃ）の例では、フック挿入部４の上端は、フック挿入部４と連通部５が接続する部分（図７（ｃ）において上下方向に延びる破線）の上端より上方に位置している。
【００３０】
図７（ｄ）に示す例では、フック挿入部４は図７（ａ）（ｂ）と同様に円形の貫通孔であるが、連通部５がフック挿入部４に近付くにつれて幅が狭くなる切り欠きとなっている。具体的には、図７（ｄ）に示す連通部５は、その幅（図７における左右方向）がフック挿入部４に近付くにつれて狭くなり、フック挿入部４との接続点において幅が０となっている。すなわち、連通部５は、上縁１１に平行な辺を底辺、フック挿入部４との接続点を頂点とする三角形状の切り欠きである。
【００３１】
図７（ｅ）に示す例は、図７（ｄ）に示した例における三角形状の切り欠きとフック挿入部４を上下方向に延びる切り込みで結んだ形状となっている。すなわち、図７（ｅ）に示す例では、フック挿入部４は図７（ａ）（ｂ）（ｄ）と同様に円形の貫通孔であるが、連通部５がフック挿入部４に近付くにつれて幅が狭くなる切り欠きと切り込みにより構成されている。具体的には、図７（ｅ）に示す連通部５は、その幅（図７における左右方向）がフック挿入部に近付くにつれて狭くなる切り欠きと、幅が０となった位置から下方に向かう切り込みとなっている。この場合の切り込みの長さに特に限定はないが、製造時の容易さと、切り込みが形成された箇所の強度を考慮すると、１〜５ｍｍ程度が好ましく、３ｍｍ程度が最適である。なお、図７（ｅ）に示す例は、上記説明のように、三角形状の切り欠きと上下方向に延びる切り込みで連通部５を構成するものとしたが、切り欠きである三角形状における、上縁１１に接続する２辺を、上縁１１から連続するパウチの上縁ととらえることもできる。この場合、連通部は、パウチの上縁とフック挿入部４を結ぶ切り込みだけとなる。
【００３２】
＜フック挿入部の変形例＞
次に、フック挿入部４の変形例について説明する。図１、図７（ａ）（ｂ）（ｄ）（ｅ）の例では、いずれもフック挿入部４を円形の貫通孔としていた。図８は、図１におけるフック挿入部４および連通部５の部分拡大図である。図８においては、フック挿入部４および連通部５の様々な例を示している。図８に示した例では、フック挿入部４が円形状の貫通孔でなく、円形状の一部に加工が行われていない連結部４ａを備えた切り込みにより実現されている。したがって、円形のフック挿入部４は、貫通しておらず、基材層、シール層が存在した状態であり、補強部２１ａと同じ構成となっている。図８（ａ）（ｂ）（ｃ）（ｄ）の連通部５の形状は、それぞれ図７（ａ）（ｂ）（ｄ）（ｅ）の連通部５の形状と同一である。図８に示す各変形例では、パウチの吊り下げを行う際には、フックを連通部５に通し、フック挿入部４の上端において、基材層、シール層を含む部分をフック自体で上方から押すことにより、フック挿入部４に挿入する。
【００３３】
＜パウチ形態の変形例＞
次に、本発明に係るパウチの全体形状の変形例について説明する。上記実施形態においては、いわゆる平パウチと呼ばれる４方シールの形態のものについて説明したが、ピロータイプの形態とすることもできる。図９は、本発明のパウチの変形例であり、全体形状をピロータイプの形態としたパウチを示す正面図である。図９に示すピロータイプのパウチは、図１に示した平パウチタイプのパウチに、合掌部を追加した形状となっている。合掌部７は、基部７ａから先端部７ｂまでヒートシールされてシール部が形成されている。合掌部７の基部７ａは、第１面１と連接されている。図９（ａ）（ｂ）に示したパウチは、いずれもフック挿入部４が、上縁１１に沿った方向においてパウチの中央に位置する。すなわち、第１側縁１３、第２側縁１４のいずれとも等距離となる位置にフック挿入部４が形成されている。これにより、パウチをフックにより吊り下げたときに、上縁１１が上側に向くようになり、見栄えが良くなる。
【００３４】
図９（ａ）の例では、合掌部７が上縁１１に沿った方向の中央に位置し、フック挿入部４が合掌部７上に形成されている。図９（ａ）の例では、合掌部の幅がフック挿入部の直径よりも大きいものとしている。合掌部７の幅がフック挿入部４の直径と同等またはそれ以下であると、合掌部７の基部７ａまたは先端部７ｂの一部がフック挿入部４により削られることになり、見栄えが悪くなるため好ましくない。
【００３５】
図９（ｂ）の例では、フック挿入部４と重ならないように、上縁１１に沿った方向に中央からずれた位置に合掌部７が形成されている。この場合、合掌部の幅とフック挿入部４の直径の大小関係については、特に考慮する必要はない。なお、パウチをフックにより吊り下げたときに、上縁１１が上側に向くことにこだわらなければ、フック挿入部４を、上縁１１に沿った方向においてパウチの中央からずれた位置に形成するようにしてもよい。
【００３６】
さらに、全体形状としては、２つの側面を２つ折りして、第１面１、第２面２の間に挿入し、上縁１１、下縁１２、第１側縁１３、第２側縁１４側においてシールすることにより、サイドガセット袋の形態とすることもできる。また、１つの底面を２つ折りして、第１面１、第２面２の間に挿入し、上縁１１、下縁１２、第１側縁１３、第２側縁１４側においてシールすることにより、スタンディングパウチの形態とすることもできる。
【００３７】
＜内容物＞
本実施形態に係るパウチが収容対象とする内容物については、特に限定されない。液体、粉体、粒体、固形物等、様々な態様のものを内容物として収容することができる。また、食品であっても非食品であってもよい。
【００３８】
＜包装材料の詳細＞
パウチの第１面１、第２面２は、積層フィルムである包装材料により構成することができる。図４に示したような補強部２１ａに用いる包装材料は、第１面１を構成する包装材料、第２面２を構成する包装材料と同様の包装材料により構成することができる。上述のように、本実施形態では、基本的には第１面１を構成する包装材料、第２面２を構成する包装材料の２枚の包装材料により構成されている。本実施形態で用いる包装材料は、少なくとも、外側から、基材層、シーラント層を含む積層体である。基材層としては、紙またはプラスチックフィルムを用いることができる。基材層としては、特に、一軸または二軸延伸された延伸プラスチックフィルムを２枚以上重ねて用いることが好ましい。例えば、包装材料は、外面側から順に、第１延伸プラスチックフィルム、第２延伸プラスチックフィルム、シーラントフィルムが順に積層されていることが好ましい。
【００３９】
第１延伸プラスチックフィルム、第２延伸プラスチックフィルム、シーラントフィルムは、例えば接着剤を用いたドライラミネート法により接着剤層を形成して積層することができる。図１０は、包装材料の層構成の一例を示す断面図である。図１０においては、上側が外面側（第１面１、第２面２側）、下側が内面側（内容物と接する側、収容部８側）を示している。図１０に示すように、本実施形態で用いる包装材料３０は、第１延伸プラスチックフィルム３１、第２延伸プラスチックフィルム３２、シーラントフィルム３３が外面側から順に積層されている。第１延伸プラスチックフィルム３１と第２延伸プラスチックフィルム３２は、接着剤層３４により接着され、第２延伸プラスチックフィルム３２とシーラントフィルム３３は、接着剤層３５により接着されている。図２、図４、図６に示した基材層との関係では、第１延伸プラスチックフィルム３１、第２延伸プラスチックフィルム３２は、第１基材層５１〜第４基材層５４のいずれにもなり得る。
【００４０】
パウチが、熱に対する耐性を必要とする場合は、第１延伸プラスチックフィルム３１、第２延伸プラスチックフィルム３２は、耐熱性をもつ材料からなることが好ましい。例えば、第１延伸プラスチックフィルム３１、第２延伸プラスチックフィルム３２の材料としては、ポリエチレンテレフタレート、ポリブチレンテレフタレートなどのポリエステルフィルム、ナイロンなどのポリアミドフィルム、ポリプロピレンフィルムなどを用いることができる。厚みは、ともに１０μｍ〜５０μｍ程度である。第１延伸プラスチックフィルム３１と第２延伸プラスチックフィルム３２としては、同じ材料を用いることもできるが、異なる材料を用いることが好ましい。第１延伸プラスチックフィルム３１、第２延伸プラスチックフィルム３２は、二軸延伸されていることが好ましい。
【００４１】
シーラントフィルム３３は、包装材料３０のうち、製袋してパウチとするときに最も内方となる側に配置される。シーラントフィルム３３の材料としては、ポリエチレン、ポリプロピレン、エチレン・酢酸ビニル共重合体、エチレン・プロピレンブロック共重合体、プロピレン・エチレンブロック共重合体などのポリオレフィン系樹脂などが採用できる。シーラントフィルム３３は未延伸であることが好ましい。
【００４２】
シーラントフィルム３３の厚みは、好ましくは１５μｍ以上であり、より好ましくは１８μｍ以上である。また、シーラントフィルム３３の厚みは、好ましくは４０μｍ以下であり、より好ましくは３０μｍ以下である。
【００４３】
包装材料３０は、印刷層や他の層を含んでいてもよい。印刷層は、商品内容を表示したり美感を付与したりカット部分を表示したりするために設けられる。印刷層は、バインダーと顔料を含む印刷インキにより形成される。
【００４４】
他の層は、基材フィルム（第１延伸プラスチックフィルム３１、第２延伸プラスチックフィルム３２）の外側に設けられていてもよいし、基材フィルム間に設けられていてもよいし、基材フィルムとシーラントフィルム３３の間に設けられていてもよい。他の層としては、水蒸気その他のガスバリア性、遮光性など、必要とされる機能に応じて、適切なものが選択される。例えば、他の層がガスバリア層の場合、アルミニウムなどの金属や酸化アルミニウムなどの金属酸化物や酸化珪素などの無機酸化物の蒸着層が設けられる。蒸着層は、基材フィルムに積層してもよいし、シーラントフィルム３３に蒸着してもよい。あるいは、アルミニウムなどの金属箔を設けてもよい。その他にも、エチレン・ビニルアルコール共重合体（ＥＶＯＨ）、ポリ塩化ビニリデン樹脂（ＰＶＤＣ）や、ナイロンＭＸＤ６などの芳香族ポリアミドなどの、ガスバリア性を有する樹脂層を設けてもよい。各層は、ドライラミネート法や溶融押し出し法などを用いて積層することができる。
【００４５】
以下に、好ましい包装材料の具体例をいくつか示す。包装材料としては以下の具体例に限らず、他の構成を用いることもできる。
・ＯＰＰ（延伸ポリプロピレンフィルム）２０μｍ／印刷層／ＡＣ／ＰＥ１０μｍ／ＶＭＰＥＴ１２μｍ／ＡＣ／ＰＥ１０μｍ／ＣＰＰ（無延伸ポリプロピレンフィルム）１８μｍ
・ＯＰＰ２０μｍ／接着剤層／ＶＭＣＰＰ３０μｍ
・ＰＥＴ（ポリエチレンテレフタレート）１２μｍ／接着剤層／ＶＭＣＰＰ３０μｍ
・ＯＰＰ２０μｍ／接着剤層／ＣＰＰ１８μｍ
・ＯＮＹ（延伸ナイロンフィルム）１５μｍ／ＰＥ（ポリエチレンフィルム）３０μｍ
・印刷層／紙５０μｍ／ＰＥ１０μｍ／ＶＭＰＥＴ１２μｍ／ＡＣ／ＰＥ１０μｍ／ＣＰＰ１８μｍ
・印刷層／紙５０μｍ／ＰＥ１０μｍ／アルミニウム箔７μｍ／ＰＥ３０μｍ
・ＰＥＴ１２μｍ／ＰＥ１５μｍ／アルミニウム箔７μｍ／ＰＥ３０μｍ
【００４６】
包装材料としては、更に第３延伸プラスチックフィルム（図示省略）を備えていてもよい。また、第１延伸プラスチックフィルム３１はポリエステルフィルムであることが好ましい。第２延伸プラスチックフィルム３２や第３延伸プラスチックフィルムは、ポリエステルフィルムまたはポリアミドフィルムとすることができる。ポリエステルフィルムとしては、テレフタル酸とジオールとの重縮体を主成分とするフィルムを用いることができ、重縮体としては、テレフタル酸とエチレングリコールの重縮体であるポリエチレンテレフタレートや、テレフタル酸と1,4-ブタンジオールの重縮体であるポリブチレンテレフタレートなどが挙げられる。ポリアミドフィルムとしては、ナイロンフィルムを用いることができる。第１延伸プラスチックフィルム３１ではなく、第２延伸プラスチックフィルム３２に透明蒸着層とガスバリア性塗布膜を設けてもよい。
【００４７】
＜製造方法＞
次に、上述の包装材料３０を用いてパウチを製造する方法について説明する。ここでは、上記実施形態に係るパウチを製造する場合について説明する。まず、２枚の包装材料３０を準備する。２枚の包装材料３０のシーラントフィルム３３どうしを対向させて、その間にシーラント材を挟み込む。この状態で、上縁１１、第１側縁１３、第２側縁１４において、所定のシール温度でヒートシールしてシール部を形成して接合する。シーラントフィルム３３が挟まれた箇所は、他のシール部より厚みが厚い補強部２１ａとなる。補強部２１ａが形成された後、抜き型および刃を用いて、フック挿入部４および連通部５を形成する。さらに、第１側縁１３、第２側縁１４に沿って、適切な形状に切断して、図１、図２に示したような実施形態のパウチが得られる。これにより、補強部２１ａ、フック挿入部４、連通部５を備えた内容物充填前のパウチが完成する。続いて、下縁１２側の開口部９を介して内容物をパウチの収容部８に充填する。
【００４８】
その後、下縁１２側において、第１面１を構成する包装材料、第２面２を構成する包装材料の重ね合された内面どうしを所定のシール温度でヒートシールして、シール部を形成して開口部９を塞ぐ。これにより、図３（ａ）（ｂ）に示すように、内容物が収容され封止されたパウチを得ることができる。すなわち、内容物充填・封止後のパウチが完成する。図３（ａ）（ｂ）においては、内容物の図示を省略している。上記製造方法は、長尺の原反ロールの包装材料３０を供給することにより、インラインでパウチの製造および内容物の充填まで行うことができる。
【００４９】
＜吊り下げ作業の結果＞
図７（ａ）〜（ｅ）、図８（ａ）〜（ｄ）の９種類のフック挿入部および連通部の形状のパウチを製造し、内容物の充填・封止後、吊り下げ作業を行った。円形状の貫通孔のみを有する従来のパウチと比較すると、フックへの取り付け易さ、フックからの外し易さが向上した。フックへの取り付け時には、従来のパウチでは、貫通孔にフックの先端を通さなければならなかったが、本発明のパウチでは、円柱状のフックの胴部を連通部に通すことにより、フック挿入部に導くことができた。また、フックからの取り外し時には、従来のパウチでは、貫通孔からフックの先端を抜かなければならなかったが、本発明のパウチでは、フックの胴部を連通部に通すことにより、フック挿入部から外すことができた。量販店、スーパーマーケット、コンビニエンスストア等の店舗においては、大量の商品を陳列する必要があり、フックへの吊り下げ作業も商品の数に応じて繰り返し行う必要がある。本発明のパウチの場合、１つ１つの取り付け、取り外し作業を容易に行うことができるため、作業時間の削減に繋がる。
【００５０】
包装材料には、開封を容易にするための加工を施しておくことが可能である。例えば、第１側縁１３から第２側縁１４に向かって延びる易開封線を施しておいてもよい。易開封線は、基材フィルムを貫通し、且つ、シーラントフィルムを貫通しないハーフカット線としてもよい。ハーフカット線は、刃物を用いて形成してもよいし、レーザー加工により形成してもよい。また、ハーフカット線は、連続的に延びる線であってもよいし、断続的に延びる線であってもよい。また、ハーフカット線は、パウチの第１側縁１３から第２側縁１４に至るように設けてもよい。また、基材フィルム自体に直進カット性が付与されていてもよい。なお、開封を容易にするための加工は、施されていることが好ましいが、必須のものではない。上記のような包装材料の枚数構成、全体形態等の変形例については、適宜組み合わせて用いることができる。
【００５１】
以上、本発明の好適な実施形態について説明したが、本発明は上記実施形態、変形例に限定されず、さらに種々の変形が可能である。また、上記のような様々な包装材料の枚数構成、各実施形態、全体形態等について、上記変形例を組み合わせる等して、様々な態様のパウチを作成することができる。
【符号の説明】
【００５２】
１・・・第１面
２・・・第２面
７・・・合掌部
７ａ・・・基部
７ｂ・・・先端部
８・・・収容部
９・・・開口部
１１・・・上縁
１２・・・下縁
１３・・・第１側縁
１４・・・第２側縁
２１・・・上縁シール部
２１ａ・・・補強部
２１ｂ・・・外縁側シール部
２１ｃ・・・収容部側シール部
２２・・・下縁シール部
２３・・・第１側縁シール部
２４・・・第２側縁シール部
３０・・・包装材料
５１・・・第１基材層
５２・・・第２基材層
５３・・・第３基材層
５４・・・第４基材層
５５・・・補強材
６０・・・シール層
６１・・・第１シール層
６２・・・第２シール層
【図１】
2020164249.tif 000003
【図２】
2020164249.tif 000004
【図３】
2020164249.tif 000005
【図４】
2020164249.tif 000006
【図５】
2020164249.tif 000007
【図６】
2020164249.tif 000008
【図７】
2020164249.tif 000009
【図８】
2020164249.tif 000010
【図９】
2020164249.tif 000011
【図１０】
2020164249.tif 000012